(57)【特許請求の範囲】
【請求項１】
筐体と、
前記筐体内部に配置され、電子部品が実装された回路基板と、
前記回路基板の少なくとも一部を覆うシールド部材と、
前記回路基板に電気的に接続されると共に一部分が前記筐体の外部に露出するように設けられた接続端子と、
を備え、
前記接続端子は前記シールド部材に固定されていることを特徴とする携帯機器。
【請求項２】
前記シールド部材は、前記回路基板の一方の面の少なくとも一部を覆い、
前記接続端子は、前記回路基板の他方の面に配設されて、前記シールド部材に固定されると共に前記シールド部材と協働して前記回路基板を挟持する
ことを特徴とする請求項１に記載の携帯機器。
【請求項３】
前記接続端子は、前記シールド部材にネジによって固定されていることを特徴とする請求項１又は２の記載の携帯機器。
【請求項４】
前記筐体は、互いに接合可能な第一ケース部材と第二ケース部材とを有して構成され、前記シールド部材及び前記回路基板は、互いに接合された前記第一ケース部材と前記第二ケース部材とに挟持されて前記筐体内に支持される
ことを特徴とする請求項１から３の何れか１項に記載の携帯機器。
【発明の詳細な説明】
【技術分野】
【０００１】
本発明は、携帯電話器等の携帯機器に関する。
【背景技術】
【０００２】
従来、携帯電話器等の携帯機器がある。そして、例えば携帯電話器は、携帯が容易なように形状設定された筐体に、回路基板、電池（二次電池）、操作ボタン及びアンテナ等の電子部品を収納して構成されている。回路基板には、基地局との通信を行う通信回路、各種情報を記憶する記憶回路、電池を充電するための充電回路及び全体動作を制御する制御回路等が形成される。また、携帯電話器の筐体には、充電器を充電回路に接続するための接続端子が筐体から一部露出した状態で設けられており、この接続端子に、充電器に配設された給電端子が接続されることにより、当該充電器から出力された電力が充電回路を介して電池に供給される。
【０００３】
このような携帯機器に設けられる接続端子の取付構造としては、例えば下記特許文献１，２に示すものがある。特許文献１には、一端に接続端子を取り付けた板ばねの他端を回路基板にハンダ付けしたものを筐体に組み込む構造が開示されており、特許文献２には、接続端子を筐体に固定する構造が開示されている。そして、これらの構造を組み合わせたような、筐体に固定された接続端子を回路基板にハンダ付けした構造は、従来実施されている。
【特許文献１】実開平４−９９６７３号公報
【特許文献２】特開２０００−３３２８６９号公報
【発明の開示】
【発明が解決しようとする課題】
【０００４】
ところで、携帯機器は、据置型の機器とは異なり、ユーザが携帯して使用するため、例えば落下させる等の種々の原因によって、筐体に衝撃が加えられることがある。こういった場合には、従来の構成のように、接続端子が筐体に固定され、接続端子が回路基板にハンダ付けされていると、筐体に加わった衝撃が、筐体から接続端子へ伝達され易いため、接続端子と回路基板との間のハンダが破損して、接続端子が回路基板から剥離することがある。
【０００５】
本発明は、上述した事情に鑑みてなされたもので、接続端子と回路基板との固着状態の耐久性を向上させることを目的とする。
【課題を解決するための手段】
【０００６】
上記課題を解決するために、本発明では、本発明に係る第１の手段として、筐体と、前記筐体内部に配置され、電子部品が実装された回路基板と、前記回路基板の少なくとも一部を覆うシールド部材と、前記回路基板に電気的に接続されると共に一部分が前記筐体の外部に露出するように設けられた接続端子と、を備え、前記接続端子は前記シールド部材に固定されているようにした。
【０００７】
また、本発明に係る第２の手段として、上記第１の手段において、前記シールド部材は、前記回路基板の一方の面の少なくとも一部を覆い、前記接続端子は、前記回路基板の他方の面に配設されて、前記シールド部材に固定されると共に前記シールド部材と協働して前記回路基板を挟持するようにした。
【０００８】
本発明に係る第３の手段として、上記第１又は２の手段において、前記接続端子は、前記シールド部材にネジによって固定されているようにした。
【０００９】
本発明に係る第４の手段として、上記第１から３の何れかの手段において、前記筐体は、互いに接合可能な第一ケース部材と第二ケース部材とを有して構成され、前記シールド部材及び前記回路基板は、互いに接合された前記第一ケース部材と前記第二ケース部材とに挟持されて前記筐体内に支持されるようにした。
【発明の効果】
【００１０】
本発明によれば、接続端子は、シールド部材に固定されているので、つまり、接続端子が筐体に剛構造として結合していないので、筐体に衝撃が加えられても、その衝撃は、接続端子に直接伝達されず、よって、接続端子と回路基板との固着状態の耐久性を向上させることができる。
【発明を実施するための最良の形態】
【００１１】
以下、本発明の一実施形態について図面を参照して説明する。図１は、本実施形態における携帯電話器（携帯機器）１００の全体を示す外観斜視図である。図２は、携帯電話器１００の操作部側本体１の構成を示す分解斜視図である。図３は、操作部側本体１の一部分の組立状態を示す斜視図である。図４は、図３のIII−III線における断面図であり、操作部側本体１の一部分の組立構造を示す。
【００１２】
携帯電話器１００は、ユーザによる操作を受け付ける操作キー９等が設けられる操作部側本体（筐体）１と、表示部１０１ａ等が設けられる表示部側本体１０１を備えており、操作部側本体１は、操作部側本体１の一端に形成されたヒンジ部２によって、図２に示されるII−II軸周りに回転自在に、表示部側本体１０１を支持している。表示部側本体１０１には、ユーザが入力した電話番号やメールの内容を表示する表示部１０１ａの他に、受話に用いられるスピーカ等が備えられている。
操作部側本体１は、まず、筐体を形成する第一ケース部材３及び第二ケース部材４と、回路基板５と、シールド板６（シールド部材）と、充電端子７（接続端子）とを備えている。第一ケース部材３の内側の面には、二次電池８が備えられている。第二ケース部材４には、ユーザによる操作を受け付ける操作キー９が備えられている。
【００１３】
回路基板５には、集積回路、抵抗器、コンデンサー等の電子部品が実装され、それら部品間を接続する接続配線が形成されている。また、回路基板５には、電子部品に二次電池８の電力を供給する給電回路や、充電端子７を介して外部から入力された電力を二次電池８に供給する充電回路が形成されている。
シールド板６は、電磁波等を遮断する板状の部材であって、回路基板５を挟んで二次電池８の反対側に配置されて回路基板５の片面（操作キー９側の面）を覆っており、回路基板５の当該片面に実装された電子部品が電磁波等によって外乱を受けるのを防止するものである。
二次電池８は、第一ケース部材３の第二ケース部材４とは反対側に形成された二次電池収容部に収容されて配設されると共に、当該二次電池収容部を閉塞するように第一ケース部材３に取り付けられる蓋部材３ａによってカバーされている。そして、二次電池収容部を形成して二次電池８の操作キー９側を支持する支持部位には、回路基板５に対向した位置に図示しないシールド板が設けられており、このシールド板は、第一ケース部材３と第二ケース部材４とが組み付けられた場合に、回路基板５の他面（二次電池８側の面）を覆い、回路基板５の当該他面に実装された電子部品が電磁波等によって外乱を受けるのを防止している。
【００１４】
図５は、充電端子７の形状を示す（ａ）底面図及びこの底面図のＶａ−Ｖａ線における（ｂ）断面図、並びに回路基板５に形成された後述する取付穴１６の形状を示す（ｃ）平面図である。この図５をも参照して、充電端子７について詳細に説明する。
充電端子７は、樹脂製のモールド部材１０の外周を金属板１１で覆ったものである。また、充電端子７は、金属板１１が回路基板５の充電回路に電気的に接続するように回路基板５にハンダ付けされ、金属板１１の一部分である通電面１２が、第一ケース部材３に形成された開口部１３に面するように回路基板５上に配置されている。
シールド板６には、ネジボス１４が突設され、ネジボス１４には、ネジ穴１５が形成されている。回路基板５には、取付穴１６が貫通して形成されている。充電端子７のモールド部材１０の底面（図５（ｂ）における下面）には、ネジボス１４の先端が嵌合する大きさの凹部１７が形成されており、凹部１７の中央には、モールド部材１０を貫通する穴１８が形成されている。そして、ネジボス１４に回路基板５の取付穴１６を挿通させて充電端子７の凹部１７を嵌合させた状態で、ネジ１９が、モールド部材１０の上面から挿し込まれてモールド部材１０の穴１８を挿通して、シールド板６のネジボス１４のネジ穴１５に螺合すると共に、モールド部材１０の上面凹部に嵌合することによって、シールド板６に回路基板５及び充電端子７が締付固定される。そして、この状態において、充電端子７の金属板１１が、回路基板５に、ハンダ付けされて充電回路に電気的に接続される。
【００１５】
更に、モールド部材１０の底面には、凹部１７に隣接させて、凸部２０が底面から突出するように形成されている。そして、回路基板５には、凸部２０が嵌まり込む切欠き部２１が、取付穴１６に連続して形成されている。
充電端子７及び回路基板５がシールド板６に固定された状態では、凸部２０が切欠き部２１に嵌まり込んで、充電端子７が回路基板５に対して回転しないようにする回転止め構造を形成する。
【００１６】
第一ケース部材３及び第二ケース部材４の外周部の互いに対応する複数箇所には、第一ケース部材３と第二ケース部材４とを対向させた状態で接合するネジ止め部２２が設けられている。第二ケース部材４のヒンジ部２が形成されている端部の反対側の端部に設けられた二つのネジ止め部２２の間には、内蔵アンテナ２３が配置されている。
【００１７】
そして、シールド板６とこのシールド板６に取付固定された回路基板５及び充電端子７とは、対向状態で接合される第一ケース部材３と第二ケース部材４との間に挟持されている。ここで、シールド板６、回路基板５及び充電端子７と、第一ケース部材３及び第二ケース部材４との間には、組み立て時に必要な程度の僅かな寸法の遊びが設けられている。
【００１８】
このような構成において、ユーザは、携帯電話器１００を用いる際、操作キー９により、電話番号の入力や、メール作成及び送受信等の操作を行う。内蔵アンテナ２３は、基地局と電波の送受信を行って、送話及び受話、メール送受信等の各種通信を可能にしている。二次電池８の充電は、図示しない充電器の端子が、開口部１３から通電面１２に接触することにより、行われる。
【００１９】
ここで、携帯電話器１００は、据え置きではなく携帯して使用されるものであるので、ユーザが誤って取り落としてしまうような事態も想定される。そのような場合、携帯電話器１００の第一ケース部材３及び第二ケース部材４からなる筐体には、携帯電話器１００の自重や落下した高さに応じた衝撃が加わる。
しかし、本実施形態によれば、回路基板５及び充電端子７は、筐体に直接固定されるのではなくシールド板６に固定されていて、更に、このシールド板６及び回路基板５は、従来のように第一ケース部材３や第二ケース部材４に例えばネジ止め等により固定されているのではなく、対向状態で接合される第一ケース部材３と第二ケース部材４との間で挟持されているという構造であるので、従来のように筐体と回路基板５や充電端子７とを相対位置不動に固定するネジやネジボス等の部材を介して筐体の衝撃を伝達されるということがなく、更に、シールド板６、回路基板５及び充電端子７と、第一ケース部材３及び第二ケース部材４との間に設けられた僅かな寸法の遊びによって、筐体が受けた衝撃をある程度吸収することができる。したがって、回路基板５及び充電端子７は衝撃を受けにくく、このため、回路基板５と充電端子７との間のハンダ付けされた部位への衝撃を軽減でき、充電端子７と回路基板５との間のハンダが剥離するという不都合が起こりにくくなっている。つまり、本実施形態の構造によれば、充電端子７と回路基板５との固着状態の耐久性を向上させることができる。
【００２０】
また、本実施形態によれば、シールド板６が回路基板５の一方の面を覆うように配設され、充電端子７が回路基板５の他方の面に配設されてシールド板６に固定されると共に、充電端子７がシールド板６と協働して回路基板５を挟持する構成としたことにより、回路基板５とシールド板６との結合と同時に充電端子７と回路基板５との結合を行うことができ、これら結合構造を簡素化することができる。
【００２１】
また、充電端子７をシールド板６のネジボス１４にネジ１９によって螺合して固定する構成としたことにより、充電端子７をシールド板６へ強固に固定することができる。また、充電端子７をシールド板６へ固定する際に、回路基板５に形成された取付穴１６にシールド板６のネジボス１４を挿通させる構成としたことにより、シールド板６の回路基板５に対する位置決めを同時に行うことができると共に、充電端子７の回路基板５に対する位置決めをも同時に行うことができる。
【００２２】
また、従来は、第一ケース部材３と第二ケース部材４とを接合するネジ止め部２２を利用して、充電端子７をも位置固定する構造になっていたため、充電端子７の位置がネジ止め部２２の位置に合わせられていたが、本実施形態によれば、充電端子７をシールド板６に固定するようにしたので、従来のように充電端子７の配置がネジ止め部２２の位置によって制限されることがなくなった。これにより、充電端子７の配置の自由度が大きくなっただけでなく、従来の構造において充電端子７に占められていた位置に他の部品を配置することができるようになった。例えば、本実施形態のように、従来は充電端子７により占められていた位置に、内蔵アンテナ２３を配置することが可能となる。このように、本実施形態によれば、筐体内及び回路基板５上の各種部品の配置の自由度を大きくすることができる。
【００２３】
なお、本実施形態では、接続端子が充電端子である場合について説明したが、実施にあたっては、接続端子は、外部装置と回路基板との接続に用いられるものであればよく、充電端子に限らない。
【図面の簡単な説明】
【００２４】
【図１】本発明の一実施形態における携帯機器の全体を示す外観斜視図である。
【図２】本発明の一実施形態における携帯機器の操作部側本体の構成を示す分解斜視図である。
【図３】本発明の一実施形態における携帯機器の操作部側本体の一部分の組立状態を示す斜視図である。
【図４】本発明の一実施形態における携帯機器の操作部側本体の一部分の組立構造を示す断面図である。
【図５】本発明の一実施形態における接続端子の形状を示す（ａ）底面図及び（ｂ）断面図、並びに回路基板に形成された取付穴の形状を示す（ｃ）平面図である。
【符号の説明】
【００２５】
１００…携帯電話器（携帯機器）、  １０１…表示部側本体、  １０１ａ…表示部、  １…操作部側本体（筐体）、  ２…ヒンジ部、  ３…第一ケース部材、  ３ａ…蓋部材、  ４…第二ケース部材、  ５…回路基板、  ６…シールド板（シールド部材）、  ７…充電端子（接続端子）、  ８…二次電池、  ９…操作キー、  １０…モールド部材、  １１…金属板、  １２…通電面、  １３…開口部、  １４…ネジボス、  １５…ネジ穴、  １６…取付穴、  １７…凹部、  １８…穴、  １９…ネジ、  ２０…凸部、  ２１…切欠き部、  ２２…ネジ止め部、  ２３…内蔵アンテナ
【図１】
0004455476.tif 000002
【図２】
0004455476.tif 000003
【図３】
0004455476.tif 000004
【図４】
0004455476.tif 000005
【図５】
0004455476.tif 000006